(57)【要約】【課題】洗浄ポンプからの洗浄水が流入する流入筒部４３の上部に設けられた、洗浄ノズルに対する複数の洗浄水供給路４１１，４１２の給水口４１１ａ，４１２ａが開設された弁座４４と、流入筒部内に設けられた、洗浄水の水流に押されて上動することにより弁座に着座して、一部の給水口を閉塞する弁体４５とを備え、弁体が一旦下動して上動する度に下動前とは異なる回転位置に回転して、下動前とは異なる給水口が閉塞されるようにした食器洗浄機において、弁座に対する弁体の着座不良で、閉塞しておくべき給水口に洗浄水が漏れ出ることを防止できるようにする。【解決手段】弁体４５を、内部に洗浄水が浸入しないように封止された中空部４５１を有するものに構成する。弁体４５に浮力が作用し、この浮力の分だけ強く弁体が弁座に押し付けられて、弁座に対する弁体の着座不良が抑制される。【選択図】図３
2019022590.tif 000002
【特許請求の範囲】
【請求項１】
食器類を収納する洗浄槽と、洗浄槽内に設けられた洗浄ノズルと、洗浄槽内の洗浄水を洗浄ノズルに供給する洗浄ポンプとを備える食器洗浄機であって、洗浄ノズルに対する複数の洗浄水供給路と、洗浄槽の底部に設けられた、洗浄ポンプから供給される洗浄水が下方から流入する上下方向の軸線を持つ流入筒部と、流入筒部の上部に下方を向くように設けられ、各洗浄水供給路に洗浄水を供給する給水口が複数の洗浄水供給路に対応して複数開設された弁座と、流入筒部内に回転及び上下動自在に設けられ、洗浄ポンプから供給される洗浄水の水流に押されて上動することにより弁座に着座して一部の給水口を閉塞する弁体と、弁体が一旦下動して上動する度に下動前とは異なる回転位置に弁体を回転させるカム機構とを備え、弁体の異なる回転位置への回転で異なる給水口が閉塞されるようにしたものにおいて、
弁体は、内部に洗浄水が浸入しないように封止された中空部を有することを特徴とする食器洗浄機。
【請求項２】
前記弁座は、径方向外方に向かって下方に傾斜したテーパー面に形成され、前記弁体の上面も弁座と同様のテーパー面に形成されることを特徴とする請求項１記載の食器洗浄機。
【発明の詳細な説明】
【技術分野】
【０００１】
本発明は、食器類を収納する洗浄槽と、洗浄槽内に設けられた洗浄ノズルと、洗浄槽内の洗浄水を洗浄ノズルに供給する洗浄ポンプとを備える食器洗浄機に関する。
【背景技術】
【０００２】
従来、この種の食器洗浄機として、洗浄ノズルに対する複数の洗浄水供給路と、洗浄槽の底部に設けられた、洗浄ポンプから供給される洗浄水が下方から流入する上下方向の軸線を持つ流入筒部と、流入筒部の上部に下方を向くように設けられ、各洗浄水供給路に洗浄水を供給する給水口が複数の洗浄水供給路に対応して複数開設された弁座と、流入筒部内に回転及び上下動自在に設けられ、洗浄ポンプから供給される洗浄水の水流に押されて上動することにより弁座に着座して一部の給水口を閉塞する弁体と、弁体が一旦下動して上動する度に下動前とは異なる回転位置に弁体を回転させるカム機構とを備え、弁体の異なる回転位置への回転で異なる給水口が閉塞されるようにしたものが知られている（例えば、特許文献１参照）。
【０００３】
然し、上記従来例のものでは、弁体が水流だけで押し上げられるため、弁体に作用する押し上げ力が不足して、弁座に対する弁体の着座不良を生ずることがある。そして、弁体の着座不良により、本来閉塞しておくべき給水口に弁体と弁座との間の隙間を介して洗浄水が漏れてしまうことがある。
【先行技術文献】
【特許文献】
【０００４】
【特許文献１】特開２００９−１９５７４１号公報
【発明の概要】
【発明が解決しようとする課題】
【０００５】
本発明は、以上の点に鑑み、弁座に対する弁体の着座不良を防止できるようにした食器洗浄機を提供することをその課題としている。
【課題を解決するための手段】
【０００６】
上記課題を解決するために、本発明は、食器類を収納する洗浄槽と、洗浄槽内に設けられた洗浄ノズルと、洗浄槽内の洗浄水を洗浄ノズルに供給する洗浄ポンプとを備える食器洗浄機であって、洗浄ノズルに対する複数の洗浄水供給路と、洗浄槽の底部に設けられた、洗浄ポンプから供給される洗浄水が下方から流入する上下方向の軸線を持つ流入筒部と、流入筒部の上部に下方を向くように設けられ、各洗浄水供給路に洗浄水を供給する給水口が複数の洗浄水供給路に対応して複数開設された弁座と、流入筒部内に回転及び上下動自在に設けられ、洗浄ポンプから供給される洗浄水の水流に押されて上動することにより弁座に着座して一部の給水口を閉塞する弁体と、弁体が一旦下動して上動する度に下動前とは異なる回転位置に弁体を回転させるカム機構とを備え、弁体の異なる回転位置への回転で異なる給水口が閉塞されるようにしたものにおいて、弁体は、内部に洗浄水が浸入しないように封止された中空部を有することを特徴とする。
【０００７】
本発明によれば、流入筒部内に洗浄ポンプからの洗浄水が流入すると、弁体が洗浄水の水流により押し上げられるだけでなく、弁体に中空部による浮力が作用して、この浮力の分だけ弁体の押し上げ力が強められる。従って、弁体の押し上げ力不足により、弁座に対する弁体の着座不良を生ずることを効果的に防止できる。
【０００８】
また、本発明において、弁座は、径方向外方に向かって下方に傾斜したテーパー面に形成され、弁体の上面も弁座と同様のテーパー面に形成されることが望ましい。これによれば、弁座の面積が広くなるため、給水口の開口面積を大きくして、圧力損失を低減することができる。
【図面の簡単な説明】
【０００９】
【図１】本発明の実施形態の食器洗浄機の模式的切断側面図。
【図２】実施形態の食器洗浄機の洗浄ノズル配置部の斜視図。
【図３】図２のＩＩＩ−ＩＩＩ線で切断した断面図。
【図４】実施形態の食器洗浄機の分配パイプ及び弁体の斜め下方から見た斜視図。
【図５】実施形態の食器洗浄機の弁体及び流入筒部の斜め上方から見た斜視図。
【発明を実施するための形態】
【００１０】
図１を参照して、本発明の実施形態の食器洗浄機は、外装ケース１と、外装ケース１内に扉２１と一体に引き出し自在に収納される洗浄槽２とを備えており、この洗浄槽２内に給水路３を介して水が供給される。給水路３には、給水弁３１が介設されている。
【００１１】
洗浄槽２内には、食器類Ｗを載置する食器かご２２と、食器かご２２に向けて洗浄水を噴射する前側の第１洗浄ノズル４１と後側の左右一対の第２洗浄ノズル４２（図２参照）とが設けられている。第１と第２の各洗浄ノズル４１，４２は、水平姿勢で旋回自在である。各洗浄ノズル４１，４２の上面には、洗浄水の噴射部４ａが複数設けられており、ノズル先端側の噴射部４ａからの洗浄水の噴射反力で各洗浄ノズル４１，４２が旋回する。また、洗浄槽２の下側には、洗浄槽２の底部に残菜フィルタ２３を介して接続される洗浄ポンプ５が設けられている。洗浄ポンプ５はモータ５１により正逆転自在である。そして、洗浄ポンプ５を正転させると、洗浄水が洗浄ノズル４１，４２を介して洗浄槽２内に循環され、洗浄ポンプ５を逆転させると、洗浄槽２内の洗浄水が排水路６を介して排水される。
【００１２】
食器洗浄機は、更に、洗浄槽２内に空気を送風する乾燥ファン７と、残菜フィルタ２３を介して洗浄槽２に連通する水室８１内のフロート８２を有し、洗浄槽２内の水位が所定レベルになったときにオンする水位スイッチ８とを備えている。また、洗浄槽２内の底部には、洗浄槽２内に給水したときに水面下に沈むように図示省略したヒータが設けられている。
【００１３】
食器洗浄機の運転スイッチをオンすると、先ず、給水弁３１が開弁されて、洗浄槽２に給水され、この水に図外の洗剤供給手段から洗剤が混入されて洗浄水が生成される。そして、洗浄槽２内の水位が所定レベルに達して水位スイッチ８がオンしたとき、給水弁３１を閉弁させて、給水を停止する。その後、洗浄水をヒータで加熱しつつ、洗浄ポンプ５を正転させて洗浄水を洗浄ノズル４１，４２から噴射させる洗浄運転を所定時間行う。洗浄運転完了後は、洗浄ポンプ５を逆転させて洗浄槽２内の洗浄水を排水する。次に、給水弁３１を開弁させて、洗浄槽２に水位スイッチ８がオンするまで給水した後、洗浄ポンプ５を正転させて洗浄ノズル４１，４２から洗剤が混入されていない洗浄水を噴射させるすすぎ運転を所定時間行う。すすぎ運転完了後は、洗浄ポンプ５を逆転させて洗浄槽２内の洗浄水を排水し、次に、洗浄槽２内の空気をヒータで加温しつつ乾燥ファン７により洗浄槽２内に空気を送風する乾燥運転を所定時間行う。
【００１４】
以下、図２〜図５を参照して、洗浄ノズル４１，４２及びこれに関連する部材について詳述する。洗浄槽２の底部２４上面には、中央部から前方にのびる、第１洗浄水供給路４１１を構成する前パイプ部４２１と、中央部から左右に分岐して後方にのびる、第２洗浄水供給路４１２を構成する一対の後パイプ部４２２とを有する偏平な分配パイプ４２が底部２４に突設した爪片２５により固定されている。そして、前パイプ部４２１の前端部上面に設けたジョイント部４２３に第１洗浄ノズル４１をその中央部下面で旋回自在に連結し、第１洗浄水供給路４１１からジョイント部４２３を介して第１洗浄ノズル４１に洗浄水が供給されるようにしている。また、各後パイプ部４２２の後端部上面に設けた、上記ジョイント部４２３と同様の構造のジョイント部４２４（図１参照）に各第２洗浄ノズル４２をその下面中央部で旋回自在に連結し、第２洗浄水供給路４１２からジョイント部４２４を介して各第２洗浄ノズル４２に洗浄水が供給されるようにしている。
【００１５】
洗浄槽２の底部２４には、下端部に洗浄ポンプ５に連なるパイプ５２が接続され、洗浄ポンプ５から供給される洗浄水が下方から流入する上下方向の軸線を持つ流入筒部４３が設けられている。流入筒部４３の上端部には、分配パイプ４２の中央部下面に突設した凸部４２５が内嵌している。そして、流入筒部４３の上部に下方を向くように、凸部４２５の下面で構成される弁座４４を設けている。この弁座４４には、第１洗浄水供給路４１１に洗浄水を供給する第１給水口４１１ａと、一対の第２洗浄水供給路４１２に洗浄水を供給する第２給水口４１２ａとが夫々略半周に亘る円弧状に開設されている。尚、弁座４４は、径方向外方に向かって下方に傾斜したテーパー面に形成されている。これによれば、弁座４４の面積が広くなるため、第１と第２の各給水口４１１ａ，４１２ａの開口面積を大きくして、圧力損失を低減できる。
【００１６】
流入筒部４３内には、上面が弁座４４と同様のテーパー面に形成された、平面視扇状の弁体４５が回転及び上下動自在に設けられている。弁体４５は、洗浄ポンプ５から供給される洗浄水の水流に押されて上動することにより弁座４４に着座して、第１給水口４１１ａと第２給水口４１２ａとの何れか一方を閉塞する。尚、流入筒部４３内には、上下方向にのびる支軸４３１が設けられており、この支軸４３１に弁体４５が回転及び上下動自在に外挿されている。
【００１７】
弁体４５は、洗浄ポンプ５の停止で流入筒部４３から洗浄水が抜けることにより、自重で下動する。そして、弁体４５が一旦下動して上動する度に、下動前とは１８０°異なる回転位置に弁体４５を回転させるカム機構４６を設けている。そのため、弁体４５が第１給水口４１１ａを閉塞する回転位置に存する状態から一旦下動して上動すると、弁体４５は第２給水口４１２ａを閉塞する回転位置に回転し、この状態から弁体４５が一旦下動して上動すると、弁体４５は第１給水口４１１ａを閉塞する回転位置に戻る。
【００１８】
カム機構４６は、弁体４５の上面中央部に１８０°の位相差を存して設けた一対の第１カム部４６１と、弁座４４の中央部の上方への窪み部の周面に１８０°の位相差を存して設けた一対の第１ガイド部４６２と、弁体４５の下面中央部に１８０°の位相差を存して設けた一対の第２カム部４６３と、支軸４３１の下部外周に１８０°の位相差を存して設けた一対の第２ガイド部４６４とで構成されている。各第１カム部４６１は、上方に凸の山形に形成され、一対の第１ガイド部４６２間に下方から嵌合可能である。各第２ガイド部４６４は、周方向一方に向けて下方に傾斜した斜辺部を有している。そして、弁体４５が下動する際に、各第２カム部４６３の下端が各第２ガイド部４６４の斜辺部に当接して、弁体４５が周方向一方に１８０°に近い所定角度回転し、その後の弁体４５の上動に際し、各第１カム部４６１が、一対の第１ガイド部４６２間に下動前とは１８０°異なる位相で嵌合するようにしている。これにより、弁体４５が一旦下動して上動する度に、下動前とは１８０°異なる回転位置に弁体４５が回転する。
【００１９】
ところで、弁体４５を水流だけで押し上げたのでは、弁体４５に作用する押し上げ力が不足して、弁座４４に対する弁体４５の着座不良を生ずることがある。そして、弁体４５の着座不良により、第１給水口４１１ａを閉塞する回転位置に弁体４５が存する状態で弁体４５と弁座４４との間の隙間を介して第１給水口４１１ａに洗浄水が漏れたり、第２給水口４１２ａを閉塞する回転位置に弁体４５が存する状態で弁体４５と弁座４４との間の隙間を介して第２給水口４１２ａに洗浄水が漏れたりすることがある。
【００２０】
そこで、本実施形態では、弁体４５を、内部に洗浄水が浸入しないように封止された中空部４５１を有するものとしている。具体的には、樹脂製の弁体本体に、上方に開口する中空部４５１を形成し、弁体本体の上面にゴム製のシート４５２を溶着して、このシート４５２により中空部４５１を封止している。これによれば、流入筒部４３内に洗浄ポンプ５からの洗浄水が流入すると、弁体４５が洗浄水の水流により押し上げられるだけでなく、弁体４５に中空部４５１による浮力が作用して、この浮力の分だけ弁体４５の押し上げ力が強められる。従って、弁体４５の押し上げ力不足により、弁座４４に対する弁体４５の着座不良を生ずることを効果的に防止できる。
【００２１】
以上、本発明の実施形態について図面を参照して説明したが、本発明はこれに限定されない。例えば、上記実施形態の食器洗浄機は、複数の洗浄ノズル４１，４２を備えているが、単一の洗浄ノズルを備える食器洗浄機であって、洗浄ノズルの回転方向切替や洗浄水噴射量切替のための複数の洗浄水供給路を設けるものにも同様に本発明を適用できる。
【符号の説明】
【００２２】
２…洗浄槽、２４…洗浄槽の底部、４１，４２…洗浄ノズル、４１１，４１２…洗浄水供給路、４１１ａ，４１２ａ…給水口、４３…流入筒部、４４…弁座、４５…弁体、４５１…中空部、５…洗浄ポンプ。
【図１】
2019022590.tif 000003
【図２】
2019022590.tif 000004
【図３】
2019022590.tif 000005
【図４】
2019022590.tif 000006
【図５】
2019022590.tif 000007